(57)【特許請求の範囲】
【請求項１】
電気通信ネットワークにおいてユーザ機器（ＵＥ）（１００１）を無線アクセスネットワーク（ＲＡＮ）に接続する方法であって、前記ＲＡＮが複数のベースバンドユニット（ＢＢＵ）（３、４、５、８０１）を備え、前記ＵＥ（１００１）が２つの、マルチレイヤードプロトコルスタックであるプロトコルスタック（１０１０、１０１１）を備え、前記２つのプロトコルスタック（１０１０、１０１１）のそれぞれがＢＢＵ（３、４、５、８０１）との同一のタイプの接続のために使用され得る無線リンクコントローラ（ＲＬＣ）レイヤを備え、前記接続が同一の無線アクセス技術に基づいており、前記ＵＥ（１００１）が前記２つのプロトコルスタック（１０１０、１０１１）のうちの第１のものを使用して第１のＢＢＵ（３、４、５、８０１）との通信のために前記第１のＢＢＵに接続され、前記方法が、
−  第２のＢＢＵによって、前記電気通信ネットワークにおけるネットワークノードからスタックセレクタパラメータを受信するステップであって、前記スタックセレクタパラメータが前記第２のＢＢＵとの前記通信のために前記２つのプロトコルスタック（１０１０、１０１１）のどちらが前記ＵＥ（１００１）によって使用されることになるかを示す、受信するステップと、
−  前記第２のＢＢＵによって、前記ＵＥ（１００１）にダウンリンクグラントメッセージを送信するステップであって、前記ダウンリンクグラントメッセージが前記スタックセレクタパラメータを含む、送信するステップと
を含む、方法。
【請求項２】
前記スタックセレクタパラメータを受信する前記ステップが、
前記第２のＢＢＵによって、前記第１のＢＢＵ（３、４、５、８０１）から前記スタックセレクタパラメータを受信するステップと、
前記第２のＢＢＵによって、前記複数のＢＢＵ（３、４、５、８０１）の中でスタックセレクタパラメータを協調するように構成される中央ネットワークノードから、前記スタックセレクタパラメータを受信するステップと
のいずれかを含む、請求項１に記載の方法。
【請求項３】
前記スタックセレクタパラメータが、前記第１のＢＢＵ（３、４、５、８０１）による前記ＵＥ（１００１）との通信に使用される前記プロトコルスタックと比較して、前記第２のＢＢＵ（３、４、５、８０１）による前記ＵＥ（１００１）との通信について、使用されることになる異なるプロトコルスタックを示している、請求項１または２に記載の方法。
【請求項４】
前記スタックセレクタパラメータが、前記第１のＢＢＵ（３、４、５、８０１）による前記ＵＥ（１００１）との通信に使用される前記プロトコルスタックに関して、前記第２のＢＢＵ（３、４、５、８０１）による前記ＵＥ（１００１）との通信について、使用されることになる同一のプロトコルスタックを示しており、前記方法が
−  前記第２のＢＢＵによって、前記電気通信ネットワークにおける前記ネットワークノードから、スタックリセットパラメータを受信するステップであって、前記スタックリセットパラメータが前記ＵＥ（１００１）に対して前記スタックセレクタパラメータに対応する前記プロトコルスタックの前記ＲＬＣレイヤがリセットされることになることを示す、受信するステップと、
−  前記第２のＢＢＵによって、前記ＵＥ（１００１）に前記スタックリセットパラメータを送信するステップと
をさらに含む、請求項１または２に記載の方法。
【請求項５】
前記スタックリセットパラメータを送信する前記ステップが、
−  前記第２のＢＢＵによって、前記ダウンリンクグラントメッセージ内の前記スタックリセットパラメータを送信するステップと、
−  前記第２のＢＢＵによって、別個の制御メッセージ内の前記スタックリセットパラメータを送信するステップと
のいずれかを含む、請求項４に記載の方法。
【請求項６】
電気通信ネットワークにおいてデュアルコネクティビティ対応ユーザ機器（ＵＥ）（１００１）を無線アクセスネットワーク（ＲＡＮ）に接続する方法であって、前記ＵＥ（１００１）が２つの、マルチレイヤードプロトコルスタックであるプロトコルスタック（１０１０、１０１１）を備え、前記２つのプロトコルスタック（１０１０、１０１１）のそれぞれがＢＢＵ（３、４、５、８０１）との同一のタイプの接続のために使用され得る無線リンクコントローラ（ＲＬＣ）レイヤを備え、前記接続が同一の無線アクセス技術に基づいており、前記ＵＥ（１００１）が前記２つのプロトコルスタック（１０１０、１０１１）のうちの第１のものを使用して第１のＢＢＵ（３、４、５、８０１）との通信のために前記第１のＢＢＵに接続され、前記方法が、
−  前記ＵＥ（１００１）によって、前記ＲＡＮの第２のＢＢＵ（３、４、５、８０１）から、スタックセレクタパラメータを含むダウンリンクグラントメッセージを受信するステップであって、前記スタックセレクタパラメータが前記第２のＢＢＵとの前記通信のために前記２つのプロトコルスタック（１０１０、１０１１）のどちらが前記ＵＥ（１００１）によって使用されることになるかを示す、受信するステップと、
−  前記ＵＥ（１００１）によって、前記受信したダウンリンクグラントメッセージを、前記受信されたスタックセレクタパラメータに対応する前記プロトコルスタックのＲＬＣエンティティに伝達するステップと
を含む、方法。
【請求項７】
前記方法が、
−  前記ＵＥ（１００１）によって、前記ＲＡＮの別のＢＢＵ（３、４、５、８０１）からさらなるダウンリンクグラントメッセージを受信するステップであって、前記さらなるダウンリンクグラントメッセージがさらなるスタックセレクタパラメータを含み、前記スタックセレクタパラメータが前記２つのプロトコルスタック（１０１０、１０１１）の他のどちらが前記第２のＢＢＵとの前記通信について前記ＵＥ（１００１）によって使用されることになるかを示す、受信するステップと、
−  前記ＵＥ（１００１）によって、前記受信されるさらなるダウンリンクグラントメッセージを、前記スタックセレクタパラメータに対応する前記２つのプロトコルスタックの別の１つのさらなるＲＬＣエンティティに伝達するステップと
をさらに含む、請求項６に記載の方法。
【請求項８】
前記スタックセレクタパラメータが、前記第１のＢＢＵ（３、４、５、８０１）による前記ＵＥ（１００１）との通信に使用される前記プロトコルスタックと比較して、前記第２のＢＢＵ（３、４、５、８０１）による前記ＵＥ（１００１）との通信について、使用されることになる異なるプロトコルスタックを示している、請求項７に記載の方法。
【請求項９】
前記スタックセレクタパラメータが、前記ＵＥ（１００１）による前記第１のＢＢＵとの通信に使用される前記プロトコルスタックに関して、前記ＵＥ（１００１）による前記第２のＢＢＵ（３、４、５、８０１）との通信について、使用されることになる同一のプロトコルスタックを示しており、前記方法が、
−  前記ＵＥ（１００１）によって、前記第２のＢＢＵから、スタックリセットパラメータを受信するステップであって、前記スタックリセットパラメータが前記ＵＥ（１００１）に対して前記スタックセレクタパラメータに対応する前記プロトコルスタックの前記ＲＬＣレイヤがリセットされることになることを示す、受信するステップと、
−  前記ＵＥ（１００１）によって、前記スタックセレクタパラメータに対応する前記プロトコルスタックの、少なくとも前記無線リンクコントローラレイヤをリセットするステップと
をさらに含む、請求項６または７に記載の方法。
【請求項１０】
前記スタックリセットパラメータを受信する前記ステップが、
−  前記ＵＥ（１００１）によって、前記ダウンリンクグラントメッセージ内の前記スタックリセットパラメータを受信するステップと、
−  前記ＵＥ（１００１）によって、別個の制御メッセージ内の前記スタックリセットパラメータを受信するステップと
のいずれかを含む、請求項９に記載の方法。
【請求項１１】
電気通信ネットワークにおいてユーザ機器（ＵＥ）（１００１）を無線アクセスネットワーク（ＲＡＮ）に接続することをサポートするための第２のベースバンドユニット（ＢＢＵ）であって、前記ＲＡＮが複数のベースバンドユニット（ＢＢＵ）（３、４、５、８０１）を備え、前記ＵＥ（１００１）が２つの、マルチレイヤードプロトコルスタックであるプロトコルスタック（１０１０、１０１１）を備え、前記２つのプロトコルスタック（１０１０、１０１１）のそれぞれがＢＢＵ（３、４、５、８０１）との同一のタイプの接続のために使用され得る無線リンクコントローラ（ＲＬＣ）レイヤを備え、前記接続が同一の無線アクセス技術に基づいており、前記ＵＥ（１００１）が第１のＢＢＵ（３、４、５、８０１）との通信のための前記２つのプロトコルスタック（１０１０、１０１１）のうちの第１のものを使用して前記第１のＢＢＵに接続され、前記第２のＢＢＵ（３、４、５、８０１）が、
−  前記電気通信ネットワークにおいてネットワークノードからスタックセレクタパラメータを受信するように動作可能である受信機器であって、前記スタックセレクタパラメータが前記２つのプロトコルスタック（１０１０、１０１１）のどちらが前記第２のＢＢＵとの前記通信のために前記ＵＥ（１００１）によって使用されることになるかを示す、受信機器と、
−  前記ＵＥ（１００１）にダウンリンクグラントメッセージを送信するように動作可能である送信機器であって、前記ダウンリンクグラントメッセージが前記スタックセレクタパラメータを含む、送信機器と
を備える、第２のベースバンドユニット（ＢＢＵ）。
【請求項１２】
前記スタックセレクタパラメータが、前記第１のＢＢＵ（３、４、５、８０１）による前記ＵＥ（１００１）との通信に使用される前記プロトコルスタックに関して、前記第２のＢＢＵ（３、４、５、８０１）による前記ＵＥ（１００１）との通信について、使用されることになる同一のプロトコルスタックを示しており、
−  前記受信機器が前記電気通信ネットワークにおける前記ネットワークノードから、スタックリセットパラメータを受信するようにさらに動作可能であり、前記スタックリセットパラメータが前記ＵＥ（１００１）に対して前記スタックセレクタパラメータに対応する前記プロトコルスタックがリセットされることになることを示し、
−  前記送信機器は前記ＵＥ（１００１）に前記スタックリセットパラメータを送信するようにさらに動作可能である、
請求項１１に記載の第２のベースバンドユニット（ＢＢＵ）。
【請求項１３】
電気通信ネットワークにおいてデュアルコネクティビティ対応ユーザ機器（ＵＥ）（１００１）を無線アクセスネットワーク（ＲＡＮ）に接続することをサポートするデュアルコネクティビティ対応ユーザ機器（ＵＥ）（１００１）であって、前記ＵＥ（１００１）が２つの、マルチレイヤードプロトコルスタックであるプロトコルスタック（１０１０、１０１１）を備え、前記２つのプロトコルスタック（１０１０、１０１１）のそれぞれがＢＢＵ（３、４、５、８０１）との同一のタイプの接続のために使用され得る無線リンクコントローラ（ＲＬＣ）レイヤを備え、前記接続が同一の無線アクセス技術に基づいており、前記ＵＥ（１００１）が第１のＢＢＵ（３、４、５、８０１）との通信のための前記２つのプロトコルスタック（１０１０、１０１１）のうちの第１のものを使用して前記第１のＢＢＵに接続され、前記ＵＥ（１００１）が、
−  前記ＲＡＮの第２のＢＢＵ（３、４、５、８０１）からスタックセレクタパラメータを含むダウンリンクグラントメッセージを受信するように動作可能である受信機器あって、前記スタックセレクタパラメータが前記２つのプロトコルスタック（１０１０、１０１１）のどちらが前記第２のＢＢＵとの前記通信のために前記ＵＥ（１００１）によって使用されることになるかを示す、受信機器と、
−  前記受信したダウンリンクグラントメッセージを、前記受信されたスタックセレクタパラメータに対応する前記プロトコルスタックのＲＬＣエンティティに伝達するように動作可能である伝達機器と
を備える、デュアルコネクティビティ対応ユーザ機器（ＵＥ）。
【請求項１４】
少なくとも１つのプロセッサで実行されると、前記少なくとも１つのプロセッサに、ベースバンドユニットで実行されている時は請求項１から５のいずれか一項に記載の方法を実行させ、ユーザ機器（ＵＥ）で実行されている時は請求項６から１０のいずれか一項に記載の方法を実行させる命令を含むコンピュータ可読記憶媒体。
【発明の詳細な説明】
【技術分野】
【０００１】
本発明は一般的に無線アクセスネットワークに関し、より詳細にはユーザ機器（ＵＥ）をアクセスネットワークから成るベースバンドユニットに接続する働きに関する。
【背景技術】
【０００２】
無線アクセスネットワーク（ＲＡＮ）は、電気通信ネットワークの、ユーザ機器（ＵＥ）をコアネットワークに接続する役目を果たしている部分である。無線アクセスネットワークは、第３世代（３Ｇ）、第４世代（４Ｇ）、およびＬｏｎｇ  Ｔｅｒｍ  Ｅｖｏｌｕｔｉｏｎ（ＬＴＥ）などの、ある種の無線アクセス技術を実装している。
【０００３】
異なるタイプの無線アクセスネットワークが存在する。例えば、ユニバーサル地上無線アクセスネットワーク（ＵＴＲＡＮ）は、ＵＥをパブリックなインターネットに接続するネットワークおよび機器について使用される用語である。ＵＴＲＡＮはＮｏｄｅＢと称される基地局および無線ネットワークコントローラを含む。別の例として、拡張ユニバーサル地上無線アクセスネットワーク（Ｅ−ＵＴＲＡＮ）があり、当初としてはＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の置き換えを意図したものである。エボルブドＮｏｄｅＢは、ＵＴＲＡＮアクセスネットワークのＮｏｄｅＢの進化であるＥ−ＵＴＲＡＮの要素である。
【０００４】
マルチポイント送信は電気通信ネットワークにおける能力および堅牢性を改善するための技法の１つである。ここで、ＲＡＮとデバイスとの間の通信には２つ以上のネットワークの送受信ポイント（ＴＲＰ）が関与する。
【０００５】
ビームフォーミングは、電気通信ネットワークで使用され得る別の技法であり、ビーム追跡およびビーム管理の他の形態を必要とする。特に、マルチＴＲＰシナリオにおいて、ビームフォーミングは、通信にどのＴＲＰが使用されているかに依存してデバイスが異なるように設定されることを必要とすることがある。したがって、マルチポイント送信は、１つまたはいくつかのＴＲＰにわたる通信間のスイッチングに関する、および異なるＴＲＰ間の通信のスイッチングに関する、ビーム管理手順を必要とすることがある。そのようなビーム管理手順は、ＴＲＰ間の密な物理レイヤ協調から恩恵を享受することができる。
【０００６】
電気通信ネットワークはいくつかのレベルにおいて制御シグナリングを使用する。物理レイヤは、送信時間間隔（ＴＴＩ）毎の、ＲＡＮからＵＥへの制御シグナリングを使用して、ダウンリンクおよびアップリンクデータ送信のスケジューリングを示し、どのＵＥがスケジューリングされるか、どの送信フォーマットが使用されるべきか、およびいくつかの他のパラメータについての情報を含む。そのようなメッセージはしばしばダウンリンクまたはアップリンクグラントと称される。上位レイヤはＲＡＮからＵＥへの制御メッセージを使用して、異なる通信シナリオについてデバイスを設定する。
【０００７】
マルチポイント送信の１つのケースは、関与するＴＲＰが同一のネットワークノード、例えば、ベースバンドユニット（ＢＢＵ）に接続される時に起こる。そのようなケースでは、異なるＴＲＰが高度に協調され得る。協調には、例えば、組み合わせたリンク適応およびスケジューリング、組み合わせた物理レイヤ処理、およびバッファリング、セグメント化、および再送信など組み合わせたパケット制御機能が関与することができる。そのようなケースはしばしば協調マルチポイント送信、すなわちＣｏＭＰと称される。
【０００８】
典型的には、単一のプロトコルスタックが使用され、１つまたは複数の無線ベアラで設定される。それぞれの無線ベアラは無線リンク制御（ＲＬＣ）エンティティ、およびパケットデータ収束プロトコル（ＰＤＣＰ）エンティティを有する。
【０００９】
マルチポイント送信の別のケースは、関与するＴＲＰが異なるＢＢＵに接続される時に起こる。そのようなケースでは、異なるＴＲＰがしばしば、それほど協調されない。例えば、ＴＲＰは独立してスケジューリングおよび適応されることができ、物理レイヤ処理は独立して実施され得、バッファリング、セグメント化、および再送信などのパケット制御機能は独立して実施され得る。そのようなケースはしばしばデュアルコネクティビティと称され、典型的には異なる接続が異なるＴＲＰを使用する。典型的には、２つのプロトコルスタックが使用され、１つまたは複数の無線ベアラで設定される。それぞれの無線ベアラは、２つのＲＬＣエンティティをスタック毎に１つ、および単一のＰＤＣＰエンティティを有する。
【００１０】
ＬＴＥにおける既存のＣｏＭＰ解決策は、関与するＴＲＰが協調されるパケット制御機能を有し、スケジューリングおよび物理レイヤ処理の協調を考慮することを必要とする。典型的にはデバイスが単一の接続のために設定され、ネットワークはデバイスを再設定することなく異なるＴＲＰを使用することを選択することができる。
【００１１】
ＬＴＥにおける既存のデュアルコネクティビティ解決策は、接続が物理レイヤ（Ｌ１）、およびプロトコルレイヤの下位部分、ＲＬＣおよびメディアアクセス制御（ＭＡＣ）に関して独立して動作することを想定している。典型的にＵＥは、それぞれ独立したＲＬＣ、ＭＡＣ、およびＬ１エンティティで、２つの接続で設定される。
【００１２】
既存技術の欠点の１つは、パケット制御機能の密な協調をさらに要求することなく、リンク適応、スケジューリングおよび物理レイヤ処理の密な協調を実現することが困難であることである。これは密なＴＲＰ協調を、ＴＲＰが同一のネットワークノードに接続されるシナリオに限定することがあり、それにより協調ゲインについての機会を限定している。
【００１３】
文書ＷＯ２０１４／１８５９５３は無線リンク（ＲＬＣ）グループを処理するための技術を開示している。一例において、ＲＬＣグループを処理するように動作可能であるキャリアアグリゲーション（ＣＡ）対応ユーザ機器（ＵＥ）は、ＵＥ  ＲＦ送受信機およびプロセッサを含むことができる。ＵＥ  ＲＦ送受信機は２つ以上のセルから送信ノードＲＦ送受信機を介してパケットを受信するように設定することができる。プロセッサはプロトコルスタックのＲＬＣエンティティ内のパケットのサービスデータユニットを処理するように設定することができる。
【００１４】
文書ＥＰ２８５４４４４は、ＵＥがデュアルコネクティビティにあり、ＵＥのＰＤＣＰレイヤがＭｅＮＢおよびＳｅＮＢについてのアップリンク内で共有されるシナリオにおいて、ＵＥにおいて実施されるバッファ状態報告および論理チャネル優先順位付け手順を開示している。ここで、比率が導入され、それにしたがって、前記比率にしたがってＰＤＣＰについてのバッファ値がＵＥ内でＳｅＮＢとＭｅＮＢの間で分割される。
【発明の概要】
【００１５】
ユーザ機器（ＵＥ）を無線アクセスネットワーク（ＲＡＮ）に接続する方法を提供することが目的である。
【００１６】
ベースバンドユニット（ＢＢＵ）ならびにＵＥについて、ＵＥをＲＡＮに接続することをサポートすることを提供することが別の目的である。
【００１７】
第１の態様において、電気通信ネットワークにおいてユーザ機器（ＵＥ）を無線アクセスネットワーク（ＲＡＮ）に接続する方法が提供され、前記ＲＡＮが複数のベースバンドユニット（ＢＢＵ）を備え、前記ＵＥがＢＢＵとの同一のタイプの接続のために使用され得る２つのマルチレイヤードプロトコルスタックを備え、前記ＵＥは第１のＢＢＵとの通信のための前記２つのプロトコルスタックの第１を使用して前記第１のＢＢＵに接続される。
【００１８】
方法は、第２のＢＢＵによって前記電気通信ネットワークにおいてネットワークノードからスタックセレクタパラメータを受信するステップであって、前記スタックセレクタパラメータが前記第２のＢＢＵとの前記通信のために前記２つのプロトコルスタックのどちらが前記ＵＥによって使用されることになるかを示す、受信するステップと、前記第２のＢＢＵによって、前記ＵＥにダウンリンクグラントメッセージを送信するステップであって、前記ダウンリンクグラントメッセージが前記スタックセレクタパラメータを含む、送信するステップとを含む。
【００１９】
方法は、２つのプロトコルスタックが単一の接続のために導入されるとの知見に、少なくとも基づいている。つまり、１つの特定の接続のために、ＵＥは２つのプロトコルスタックのうちのいずれも利用することができる。
【００２０】
提示される方法の利点の１つは、よりフレキシブルな協調の選択を考慮しているということである。特に、他の協調機能からプロトコルスタックの取り扱いを切り離す。結果として、ＢＢＵをまたぐマルチポイント送信を、必ずしも物理レイヤにインパクトを与えることなく実施することができる。
【００２１】
スタックセレクタパラメータは１ビットのパラメータとして実装することができ、２つのプロトコルスタックのどちらがダウンリンクまたはアップリンク送信のために使用されることになるかを示すために使用される。
【００２２】
単一のＢＢＵ送信シナリオにおいて、すなわち、ＵＥが単一のＢＢＵに接続されるシナリオにおいて、ダウンリンクおよびアップリンクグラントはスタックセレクタパラメータについて同一の値を使用することができ、それにより同一のプロトコルスタックが使用されることを示している。例えば、「０」の値である。したがって、あらゆる所与の無線ベアラについて、単一のＲＬＣエンティティがＢＢＵにおいて使用され、また単一のＲＬＣエンティティがデバイスにおいて使用される。これに関わらず、複数のＴＲＰが通信に関与し得、あらゆる単一の送信があらゆるＴＲＰ、またはさらに複数のＴＲＰを使用することができる。
【００２３】
デュアルＢＢＵ送信シナリオにおいて、それぞれのＢＢＵはスタックセレクタパラメータについて特定の値を使用することができる。例えば、第１のＢＢＵは値「０」を使用してもよく、第２のＢＢＵは値「１」を使用してもよい。あらゆる所与の無線ベアラについて、それぞれのＢＢＵは単一のＲＬＣエンティティを有し、一方でデバイスは２つのＲＬＣエンティティを有し、それぞれのスタックについて１つ、つまり、スタックセレクタパラメータのそれぞれの値について、１つである。したがって、第１のＢＢＵはその無線ベアラについてのダウンリンク送信をスケジューリングし、そのベアラはそのＲＬＣエンティティからデータをフェッチし、ダウンリンクグラントにおけるスタックセレクタパラメータとして値「０」を示し、一方で、デバイスは受信したデータを値「０」を有するスタックセレクタパラメータに関連付けられるＲＬＣエンティティに伝達する。
【００２４】
同様に、第２のＢＢＵはスタックセレクタパラメータとして値「１」を使用することができる。２つのＢＢＵは１つまたはいくつかのＴＲＰをそれぞれ使用することができる。両方のＢＢＵは、それぞれそれらのスタックセレクタパラメータおよび対応するＲＬＣスタックを使用して、同一のＴＴＩ内でダウンリンクまたはアップリンクデータをスケジューリングすることができる。
【００２５】
提案される方法の利点の１つは、プロトコルスタックのＲＬＣレイヤ、すなわち無線リンク制御レイヤが、その特定の接続についてＵＥに接続されるＢＢＵを効果的に知ることである。
【００２６】
本開示の利点は、Ｌｏｎｇ  Ｔｅｒｍ  Ｅｖｏｌｕｔｉｏｎ（ＬＴＥ）無線アクセスネットワークに関連して主に開示されていることに留意されたい。しかしながら、利点はまた、ＧＳＭ  ＥＤＧＥ無線アクセスネットワーク、ユニバーサル地上無線アクセスネットワークまたはその類のもののような、他のタイプの無線アクセスネットワークにおいても得られる。
【００２７】
本開示によると、ＢＢＵはベースバンド処理ユニットである。ｅＮｏｄｅＢのような典型的な無線基地局はベースバンド処理ユニット、および無線周波数（ＲＦ）処理ユニットを備える。ＢＢＵは機器室に配置され、光ファイバを介してＲＦ処理ユニットに接続されてもよい。ＢＢＵは物理的なインターフェースを通じて通信する役目を果たしている。
【００２８】
本開示によると、同一のタイプの接続とは、接続が同一の無線アクセス技術、すなわちセルラ接続に基づいていることを意味する。これは、例えば、第５世代（５Ｇ）Ｎｅｗ  Ｒａｄｉｏ（ＮＲ）技術に基づく２つの接続、またはＬｏｎｇ  Ｔｅｒｍ  Ｅｖｏｌｕｔｉｏｎ（ＬＴＥ）技術に基づく２つの接続である可能性がある。
【００２９】
一例において、前記スタックセレクタパラメータを受信するステップは、
前記第２のＢＢＵによって、前記第１のＢＢＵから前記スタックセレクタパラメータを受信するステップと、
前記第２のＢＢＵによって、前記複数のＢＢＵの中でスタックセレクタパラメータを協調するように構成される中央ネットワークノードから、前記スタックセレクタパラメータを受信するステップと
のいずれかを含む。
【００３０】
本開示によると、スタックセレクタパラメータの協調は、ＢＢＵそれ自身によって実施され得るか、または中央ネットワークノード、例えば、無線アクセスネットワーク内もしくはコアネットワーク内のノードによって実施され得ることに留意されたい。
【００３１】
中央ネットワークノードは、代替的に、電気通信ネットワークのコアネットワーク内の移動体管理エンティティ（ＭＭＥ）であることもでき、または電気通信ネットワークのコアネットワーク内のサービスゲートウェイ（ＳＧＷ）であることもできる。
【００３２】
中央ネットワークノードの利点は、ＢＢＵそれ自身の同期処理における失敗に起因するエラーが起こりにくいことである。例えば、特定のＢＢＵが、既に別のＢＢＵによって使用中であるスタックセレクタパラメータについての値を使用し始めると、エラーが生じることがある。そのようなものとして、２つの可能性のある手法を考慮することができる。
【００３３】
第１の手法において、スタックセレクタパラメータの協調についての情報がＢＢＵの間で分散される。次に、ＢＢＵのそれぞれは、同一の無線アクセスネットワーク内の他のＢＢＵについて、特定のＵＥについてのスタックセレクタパラメータについての値を知るべきである。これは特に、互いに隣り合うＢＢＵ、すなわち隣り合うカバレッジセルを有するＢＢＵ、または部分的に互いに重なり合うＢＢＵに当てはまることであり、それは、これらのＢＢＵが同時にＵＥにサーブすることが可能になりやすいからである。
【００３４】
別の手法において、スタックセレクタパラメータの協調についての情報は中央ネットワークノードに集められる。この場合、同期スキームの失敗に起因するエラーが起こる確率は、減少する。中央ネットワークノードは、ＢＢＵおよびそれに接続されるＵＥの一覧を維持すること、ならびにそれらのＵＥとの通信について、どのＢＢＵが接続されるＵＥのどのスタックを使用しているかを維持することについて役割を果たしている。
【００３５】
さらなる例において、前記スタックセレクタパラメータは、前記第１のＢＢＵによる前記ＵＥとの通信に使用される前記プロトコルスタックと比較して、前記第２のＢＢＵによる前記ＵＥとの通信について、使用されることになる異なるプロトコルスタックを示している。
【００３６】
本開示によると、スタックセレクタパラメータが使用され得る複数のシナリオが存在し得る。第１のシナリオにおいて、第２のＢＢＵは、第１のＢＢＵによってＵＥと使用されるプロトコルスタックと比較して、ＵＥとの通信について異なるプロトコルスタックを使用することになる。
【００３７】
上の必然的な結果、例えば、ＵＥ、例えば、デュアルコネクティビティ対応ＵＥは、第１のＢＢＵと第１の接続を有し、第１のＢＢＵは、値「０」のスタックセレクタパラメータを使用し、ＵＥがそのパラメータで受信した通信が第１のＢＢＵから発せられたものであることを判断できるようにする。次に、ＵＥは第２のＢＢＵに接続されるか、またはハンドオーバされることもできる。特にプロトコルスタックのＲＬＣレイヤにとって、２つのＢＢＵから受信された通信を区別するために、第２のＢＢＵは、そのＵＥとの通信におけるスタックセレクタパラメータについて異なる値「０」を使用することができる。ＵＥは、次いでそのスタックセレクタパラメータに基づいて、メッセージを対応するプロトコルスタックのＲＬＣレイヤ、すなわちスタックセレクタパラメータに対応するプロトコルスタックに伝達することができる。
【００３８】
さらなる例において、スタックセレクタパラメータは、前記第１のＢＢＵによる前記ＵＥとの通信に使用される前記プロトコルスタックに関して、前記第２のＢＢＵによる前記ＵＥとの通信について、使用されることになる同一のプロトコルスタックを示しており、前記方法は、
−  前記第２のＢＢＵによって、前記電気通信ネットワークにおける前記ネットワークノードから、スタックリセットパラメータを受信するステップであって、前記スタックリセットパラメータが前記ＵＥに対して前記スタックセレクタパラメータに対応する前記プロトコルスタックがリセットされることになることを示す、受信するステップと、
−  前記第２のＢＢＵによって、前記ＵＥに前記スタックリセットパラメータを送信するステップと
をさらに含む。
【００３９】
ここで、ＵＥは第２のＢＢＵにハンドオーバされ得る。スタックリセットパラメータは、ＵＥを第２のＢＢＵに効果的にハンドオーバするために、第２のＢＢＵからＵＥへの通信に含められてもよい。ＵＥはスタックリセットパラメータに気付くことになり、より具体的には、そのスタックセレクタパラメータに対応するプロトコルスタックのＲＬＣレイヤがスタックリセットパラメータに気付くことになり、また続いて、プロトコルスタックが第２のＢＢＵとの通信に使用され得るように、少なくともプロトコルスタックのＲＬＣレイヤをリセットすることになる。
【００４０】
この詳細な例において、前記スタックリセットパラメータを送信するステップは、
−  前記第２のＢＢＵによって、前記ダウンリンクグラントメッセージ内の前記スタックリセットパラメータを送信するステップと、
−  前記第２のＢＢＵによって、別個の制御メッセージ内の前記スタックリセットパラメータを送信するステップと
のいずれかを含む。
【００４１】
本発明者らはスタックリセットパラメータが少なくとも２つの異なる方法でＵＥに転送され得ることを見出している。まず、スタックリセットパラメータは、スタックセレクタパラメータについて使用されるように、同一のダウンリンクグラントメッセージに含められてもよい。次に、スタックセレクタパラメータによって提供されるような値に対応するプロトコルスタックは、まずリセットされ、次いでその特定のＢＢＵとの後続の通信に使用される。
【００４２】
別の選択肢としては、スタックリセットパラメータが別個の制御メッセージで送信されることである。この場合、ダウンリンクグラントメッセージが送信されるよりも前に、別個の制御メッセージがＵＥに送信されることが有利である。これは、その特定のスタックが異なるＢＢＵに連結されるよりも前に、対応するプロトコルスタックがリセットされていることを確実にする。
【００４３】
さらなる例において、第２のＢＢＵは前記第１のＢＢＵである。
【００４４】
この特定の例において、ＵＥはデュアルコネクティビティ対応ＵＥであってもよく、前記ＵＥは同一のＢＢＵに対して２つの同時的な接続を有することができる。それらの接続のそれぞれは、次に、効率目的で１つのプロトコルスタックに連結される。
【００４５】
本開示による方法およびデバイスから成る異なる態様という表現、すなわち言い回しは、字義通りに取られるべきではない。態様という言い回しは、態様の実際の機能性の根底にある理論的根拠を正確に表現するために選択されているに過ぎない。
【００４６】
本開示によると、上で言及した方法の例に適用可能な異なる態様は、その利点を含み、電気通信ネットワークのデバイスに適用可能な態様に対応する。
【００４７】
第２の態様において、電気通信ネットワークにおいてデュアルコネクティビティ対応ユーザ機器（ＵＥ）を無線アクセスネットワーク（ＲＡＮ）に接続する方法が提供され、前記ＵＥがＢＢＵとの同一のタイプの接続として使用され得る２つのマルチレイヤードプロトコルスタックを備え、前記ＵＥは第１のＢＢＵとの通信のための前記２つのプロトコルスタックの第１を使用して前記第１のＢＢＵに接続され、前記方法は、
−  前記ＵＥによって、前記ＲＡＮの第２のＢＢＵからスタックセレクタパラメータを受信するステップであって、前記スタックセレクタパラメータが前記２つのプロトコルスタックのどちらが前記第２のＢＢＵとの前記通信のために前記ＵＥによって使用されることになるかを示す、受信するステップと、
−  前記ＵＥによって、前記受信したダウンリンクグラントメッセージを、前記スタック受信されたセレクタパラメータに対応するマルチレイヤードプロトコルスタックのＲＬＣエンティティに伝達するステップと
を含む。
【００４８】
上で開示されたように、方法の利点はＵＥがダウンリンクグラントメッセージを、ダウンリンクメッセージを送信したＢＢＵに連結されたプロトコルスタック、すなわちダウンリンクメッセージを送信したＢＢＵに対応するプロトコルスタックに伝達することができることである。より具体的には、ダウンリンクグラントメッセージは対応するプロトコルスタックのＲＬＣエンティティに伝達される。
【００４９】
これにより、ＵＥが、特にＵＥが同時に複数のＢＢＵに接続されている状況で効果的に展開されるようにすることが可能である。
【００５０】
一例において、方法は、
−  前記ＵＥによって、前記ＲＡＮの同一または別のＢＢＵからさらなるダウンリンクグラントメッセージを受信するステップであって、前記さらなるダウンリンクグラントメッセージがさらなるスタックセレクタパラメータを含み、前記スタックセレクタパラメータが前記２つのプロトコルスタックの他のどちらが前記第２のＢＢＵとの前記通信について前記ＵＥによって使用されることになるかを示す、受信するステップと、
−  前記ＵＥによって、前記受信されるダウンリンクスケジューリング制御メッセージを、前記スタックセレクタパラメータに対応する前記２つのマルチレイヤードプロトコルスタックの別の１つのさらなるＲＬＣエンティティに伝達するステップと
をさらに含む。
【００５１】
さらなる例において、スタックセレクタパラメータは、前記第１のＢＢＵによる前記ＵＥとの通信に使用される前記プロトコルスタックと比較して、前記第２のＢＢＵによる前記ＵＥとの通信について、使用されることになる異なるプロトコルスタックを示している。
【００５２】
本発明によると、２つのプロトコルスタックが同一の接続に使用されてもよいことに留意されたい。つまり、プロトコルスタックは異なる技術態様を対象としているものではない。プロトコルスタックは、例えば、無線アクセスネットワークへの、同一の、または類似のモバイル接続、例えば、３Ｇもしくは４Ｇについて使用され得る。
【００５３】
一例において、スタックセレクタパラメータは、前記ＵＥによる前記第１のＢＢＵとの通信に使用される前記プロトコルスタックに関して、前記ＵＥによる前記第２のＢＢＵとの通信について、使用されることになる同一のプロトコルスタックを示しており、前記方法は、
−  前記ＵＥによって、前記第２のＢＢＵから、スタックリセットパラメータを受信するステップであって、前記スタックリセットパラメータが前記ＵＥに対して前記スタックセレクタパラメータに対応する前記プロトコルスタックがリセットされることになることを示す、受信するステップと、
−  前記ＵＥによって、前記スタックセレクタパラメータに対応する前記プロトコルスタックの、少なくとも無線リンク制御レイヤをリセットするステップと
をさらに含む。
【００５４】
さらに別の例において、前記スタックリセットパラメータを受信するステップは、
−  前記ＵＥによって、前記ダウンリンクグラントメッセージ内の前記スタックリセットパラメータを受信するステップと、
−  前記ＵＥによって、別個の制御メッセージ内の前記スタックリセットパラメータを受信するステップと
を含む。
【００５５】
別の例において、第２のＢＢＵは前記第１のＢＢＵである。
【００５６】
第３の態様において、電気通信ネットワークにおいてユーザ機器（ＵＥ）を無線アクセスネットワーク（ＲＡＮ）に接続することをサポートするための第２のベースバンドユニット（ＢＢＵ）が提供され、前記ＲＡＮが複数のベースバンドユニット（ＢＢＵ）を備え、前記ＵＥがＢＢＵとの通信のために使用され得る２つのマルチレイヤードプロトコルスタックを備え、前記ＵＥが第１のＢＢＵとの通信のための前記２つのプロトコルスタックの第１を使用して前記第１のＢＢＵに接続され、前記第２のＢＢＵが、
−  前記電気通信ネットワークにおいてネットワークノードからスタックセレクタパラメータを受信するように動作可能である受信機器であって、前記スタックセレクタパラメータが前記２つのプロトコルスタックのどちらが前記第２のＢＢＵとの前記通信のために前記ＵＥによって使用されることになるかを示す、受信機器と、
−  前記ＵＥにダウンリンクグラントメッセージを送信するように動作可能である送信機器であって、前記ダウンリンクグラントメッセージが前記スタックセレクタパラメータを含む、送信機器と
を備える。
【００５７】
本開示によると、上で言及した本開示の第３の態様の例に適用可能な異なる態様は、その利点を含めて、本開示の第１および第２の態様に適用可能な態様に対応する。
【００５８】
一例において、スタックセレクタパラメータは、前記第１のＢＢＵによる前記ＵＥとの通信に使用される前記プロトコルスタックに関して、前記第２のＢＢＵによる前記ＵＥとの通信について、使用されることになる同一のプロトコルスタックを示しており、
−  前記受信機器は前記電気通信ネットワークにおける前記ネットワークノードから、スタックリセットパラメータを受信するようにさらに動作可能であり、前記スタックリセットパラメータが前記ＵＥに対して前記スタックセレクタパラメータに対応する前記プロトコルスタックがリセットされることになることを示し、
−  前記送信機器は前記ＵＥに前記スタックリセットパラメータを送信するようにさらに動作可能である。
【００５９】
第４の態様において、電気通信ネットワークにおいてデュアルコネクティビティ対応ユーザ機器（ＵＥ）を無線アクセスネットワーク（ＲＡＮ）に接続することをサポートするためのデュアルコネクティビティ対応ユーザ機器（ＵＥ）が提供され、前記ＵＥがＢＢＵとの通信のために使用され得る２つのマルチレイヤードプロトコルスタックを備え、前記ＵＥが第１のＢＢＵとの通信のための前記２つのプロトコルスタックの第１を使用して前記第１のＢＢＵに接続され、前記ＵＥは、
−  前記ＲＡＮの第２からスタックセレクタパラメータを受信するように動作可能である受信機器であって、前記スタックセレクタパラメータが前記２つのプロトコルスタックのどちらが前記第２のＢＢＵとの前記通信のために前記ＵＥによって使用されることになるかを示す、受信機器と、
−  前記受信したダウンリンクグラントメッセージを、前記スタック受信されたセレクタパラメータに対応するマルチレイヤードプロトコルスタックのＲＬＣエンティティに伝達するように動作可能である伝達機器と
を備える。
【００６０】
本開示によると、上で言及した本開示の第４の態様の例に適用可能な異なる態様は、その利点を含めて、本開示の第１、第２および第３の態様に適用可能な態様に対応する。
【００６１】
本開示によると、デュアルコネクティビティユーザ機器（ＵＥ）は同時に同一のタイプの２つの同時的な接続を有することができるＵＥである。これはデュアルコネクティビティＵＥが、例えば、２つの無線基地局に対して同時に２つの５Ｇ  ＮＲ接続を有すること、または単一の無線基地局に対して同時に２つの５Ｇ  ＮＲ接続を有することを意味する。別の可能性としては、ＵＥが２つのｅＮｏｄｅＢに対して同時に２つのＬＴＥ接続を有することである。
【００６２】
第５の態様において、少なくとも１つのプロセッサで実行されると、少なくとも１つのプロセッサに上記で提供されるような例のいずれかによる方法を実行させる命令を含む可読記憶媒体を備える、コンピュータプログラム製品が提供される。
【００６３】
第６の態様において、電気通信ネットワークにおいてユーザ機器（ＵＥ）を無線アクセスネットワーク（ＲＡＮ）に接続することをサポートするための第２のベースバンドユニット（ＢＢＵ）が提供され、前記ＲＡＮが複数のベースバンドユニット（ＢＢＵ）を備え、前記ＵＥがＢＢＵとの通信のために使用され得る２つのマルチレイヤードプロトコルスタックを備え、前記ＵＥが第１のＢＢＵとの通信のための前記２つのプロトコルスタックの第１を使用して前記第１のＢＢＵに接続され、前記第２のＢＢＵは、
−  前記電気通信ネットワークにおいてネットワークノードからスタックセレクタパラメータを受信する受信モジュールであって、前記スタックセレクタパラメータが前記２つのプロトコルスタックのどちらが前記第２のＢＢＵとの前記通信のために前記ＵＥによって使用されることになるかを示す、受信モジュールと、
−  前記ＵＥにダウンリンクグラントメッセージを送信する送信モジュールであって、前記ダウンリンクグラントメッセージが前記スタックセレクタパラメータを含む、送信モジュールと
を備える。
【００６４】
第７の態様において、電気通信ネットワークにおいてデュアルコネクティビティ対応ユーザ機器（ＵＥ）を無線アクセスネットワーク（ＲＡＮ）に接続することをサポートするためのデュアルコネクティビティ対応ユーザ機器（ＵＥ）が提供され、前記ＵＥがＢＢＵとの通信のために使用され得る２つのマルチレイヤードプロトコルスタックを備え、前記ＵＥが第１のＢＢＵとの通信のための前記２つのプロトコルスタックの第１を使用して前記第１のＢＢＵに接続され、前記ＵＥは、
−  前記ＲＡＮのうちの第２のＢＢＵからスタックセレクタパラメータを受信するように動作可能である受信機器であって、前記スタックセレクタパラメータが前記２つのプロトコルスタックのどちらが前記第２のＢＢＵとの前記通信のために前記ＵＥによって使用されることになるかを示す、受信機器と、
−  前記受信したダウンリンクグラントメッセージを、前記スタック受信されたセレクタパラメータに対応するマルチレイヤードプロトコルスタックのＲＬＣエンティティに伝達するように動作可能である伝達機器と
を備える。
【００６５】
上で言及した、および他の、本開示の特徴および利点は添付の図面を参照して以下の説明から最良に理解されよう。図面において、同一の参照符号は全く同一の部分、または全く同一もしくは同等の機能もしくは動作を実施する部分、を表記している。
【図面の簡単な説明】
【００６６】
【図１】ユーザ機器が配置されている無線アクセスネットワーク（ＲＡＮ）を図示する概略図である。
【図２】ユーザ機器が配置されている別の無線アクセスネットワーク（ＲＡＮ）を図示する概略図である。
【図３】ユーザ機器が配置されているさらに別の無線アクセスネットワーク（ＲＡＮ）を図示する概略図である。
【図４】本開示の態様を図示するシグナリング図である。
【図５】本開示のさらに別の態様を図示するシグナリング図である。
【図６】本開示の態様を図示するシグナリング図である。
【図７】第２のベースバンドユニット（ＢＢＵ）の実施形態を図示する概略図である。
【図８】ユーザ機器（ＵＥ）の実施形態を図示する概略図である。
【発明を実施するための形態】
【００６７】
図１はユーザ機器（ＵＥ）６、７、８が配置されている無線アクセスネットワーク（ＲＡＮ）１を図示する概略図である。本開示は電気通信ネットワークに設定される。本開示によると、電気通信ネットワークは無線アクセスネットワーク（ＲＡＮ）１、ならびにコアネットワーク（不図示）を備える。無線アクセスネットワークはユーザ機器（ＵＥ）６、７、８と直接通信すること、およびＵＥをコアネットワークに接続することについて、役割を果たしている。無線アクセスネットワークは複数の基地局を含んでもよく、それぞれの基地局はベースバンドユニット（ＢＢＵ）に関連付けられている。つまり、第１のＢＢＵ５は第１の基地局に接続されており、第２のＢＢＵ３は第２の基地局に接続されており、第３のＢＢＵ４は第３の基地局に接続されている。
【００６８】
基地局、すなわち無線アクセスノードは、例えば、ｅＮｏｄｅＢであり得る。本開示の利点は、ＬＴＥネットワークに関連して主に開示されていることに留意されたい。しかしながら、利点は他のタイプのネットワークにおいても得られる。
【００６９】
本開示によると、ＵＥはＢＢＵとの同一のタイプの接続に使用され得る２つのマルチレイヤードプロトコルスタックを備える。ＵＥは、例えば、第１のｅＮｏｄｅＢに接続することができ、次いで同一の無線アクセス技術、例えば、５Ｇ  Ｎｅｗ  Ｒａｄｉｏ（ＮＲ）接続を使用して第２のｅＮｏｄｅＢに接続されることを意図される。
【００７０】
本開示で開示するようなプロトコルスタックは、設定によって差別化され互いに独立して取り扱われる、一般的なまたはデフォルトのプロトコルスタックの例であり得る。これは、プロトコルスタックは基本的に互いのコピーであるが、互いに関して独立して取り扱われ得ることを意味する。したがって、プロトコルスタックは、ＵＥが第１のプロトコルスタックから第２のプロトコルスタックにスイッチングする際はいつでも互換性の問題がないように、またはその逆の際も問題がないように、技術的には同一であり得る。
【００７１】
本開示によると、参照符号９で示されるような第１の基地局のカバレッジエリアは、参照符号１１で示されるような第２の基地局のカバレッジエリア、および参照符号１０で示されるような第３の基地局のカバレッジエリアとオーバーラップしていることに留意されたい。
【００７２】
ＵＥ６、７、８は最初、第１の基地局９のカバレッジエリアだけがＵＥをカバーするように配置されている。次いでＵＥ６、７、８は、第１の基地局のカバレッジエリア、ならびに第２の基地局のカバレッジエリアによってカバーされる場所に移動する。最終的に、ＵＥ６、７、８は、第１の基地局のカバレッジエリア、ならびに第３の基地局のカバレッジエリアによってカバーされる場所に移動する。
【００７３】
参照符号６で示される位置において、ＵＥは第１の基地局、より具体的には、第１のＢＢＵ５と通信する。ここで、第１のＢＢＵ５からＵＥへ送信されるあらゆるダウンリンクグラントメッセージはスタックリセットパラメータならびにスタックセレクタパラメータを含む。スタックリセットパラメータは、スタックセレクタパラメータに対応するプロトコルスタックがリセットされるべきか否かを、ＵＥに示す。この特定の状況において、スタックリセットパラメータは値「０」に設定される。これはスタックセレクタに対応するプロトコルスタックがリセットされないことをＵＥに示す。スタックセレクタパラメータは、２つのプロトコルスタックのうち第１がＵＥと第１のＢＢＵ５との間の通信に使用されることになることを示す値「０」を有する。
【００７４】
次に、ＵＥは参照符号９で示されるカバレッジエリアから、第１のＢＢＵ５ならびに第２のＢＢＵ３によってカバーされる位置に移動する。したがって、参照符号９および１１で示されるカバレッジエリアがオーバーラップする位置である。これは参照符号７を有するＵＥで示されている。ここで、ＵＥは第１のＢＢＵ５ならびに第２のＢＢＵ３によってサーブされ得る。
【００７５】
この特定の状況において、ＵＥはデュアルコネクティビティ、すなわち第１のＢＢＵ５への接続ならびに第２のＢＢＵ３への接続を同時に有したいことを決定する。第１のＢＢＵ５および第２のＢＢＵ３は互いに同期して第２のＢＢＵ３が、第１のＢＢＵ５と比較して第２のＢＢＵ３との通信のために異なるプロトコルスタックがＵＥによって使用されることになること示すためにスタックセレクタ値「１」を使用するべきかを判断することができる。代替的に、そのような判断は無線アクセスネットワーク内またはコアネットワーク内の中央ネットワークノードによって実施されてもよい。そのようにして、第２のＢＢＵ３からＵＥへ送信されるあらゆるダウンリンクグラントメッセージは値「１」を有するスタックセレクタパラメータ、および値「０」を有するスタックリセットパラメータを含むことになる。
【００７６】
最終的に、ＵＥは第１のＢＢＵ５ならびに第３のＢＢＵ４によってカバーされる第３の位置に移動し、参照符号９および１０によって示されるカバレッジエリアによってカバーされる。この特定の状況において、ＵＥはもはや第２のＢＢＵ３によってはカバーされていない。ＵＥの現在の位置が、参照符号８で示されている。
【００７７】
ここで、ＵＥは第２のＢＢＵ３から第３のＢＢＵ４に効果的にハンドオーバされる。そのようにして、第２のＢＢＵ３と第３のＢＢＵ４の間で相互に、または中央ネットワークノードによって、第３のＢＢＵ４からＵＥへ送信されるあらゆるダウンリンクグラントメッセージが値「１」を有するスタックセレクタパラメータ、および値「１」を有するスタックリセットパラメータを含むことを確実にすることが決定される。これは、値「１」を有するスタックセレクタパラメータに対応するプロトコルスタックをリセットするべきであること、および、引き続き、第３のＢＢＵ３とのさらなる通信のためにその特定のプロトコルスタックを使用するべきであることをＵＥに示す。
【００７８】
図２はユーザ機器が配置されている別の無線アクセスネットワーク（ＲＡＮ）１０１を図示する概略図である。その態様において、同一のものは同一の参照符号によって示されることに留意されたい。
【００７９】
この特定の状況において、ＵＥ１０２は最初、参照符号９で示されるカバレッジエリア内に配置されており、次にＵＥは、第１のＢＢＵ５に対応するカバレッジエリアによってカバーされる位置、すなわち、参照符号９で示される位置、ならびに第２のＢＢＵ３に対応するカバレッジエリアによってカバーされる位置、すなわち、参照符号１１で示される位置、１０３に移動する。最終的にＵＥ１０４は、参照符号９、１１、および１０、すなわち第１のＢＢＵ５、第２のＢＢＵ３、および第３のＢＢＵ４によって示されるカバレッジエリアによってカバーされる位置に移動する。
【００８０】
やはり、第１のＢＢＵ５からＵＥへ送信されるダウンリンクグラントメッセージはスタックセレクタパラメータならびにスタックリセットパラメータを含む。スタックセレクタパラメータは、２つのプロトコルスタックのうち第１のスタックが第１のＢＢＵ５に連結されることになることを示す値「０」を有する。スタックリセットパラメータは、２つのプロトコルスタックのうち第１のスタックがリセットされる必要がないことを示す値「０」を有する。
【００８１】
いったんＵＥが第１のＢＢＵ５ならびに第２のＢＢＵ３によってカバーされる位置に移動すると、ＵＥは２つの接続を同時的には所望しないと決定する。ＵＥを第１のＢＢＵ５から第２のＢＢＵ３へハンドオーバすることが決定され、第２のＢＢＵ３はＵＥ内の同一のスタックを使用する。そのようにして、第２のＢＢＵ３からＵＥへ送信される少なくとも第１のダウンリンクグラントメッセージはスタックセレクタパラメータならびにスタックリセットパラメータを含むことになる。スタックセレクタパラメータは以前と同一の値、すなわち値「０」を有することになる。スタックリセットパラメータは値「１」を有して、ＵＥにスタックセレクタパラメータに対応するプロトコルスタックがリセットされることになることを示すことになる。つまり、同一のプロトコルスタックが今度は異なるＢＢＵに使用される。
【００８２】
最終的に、ＵＥは３つすべてのＢＢＵ、すなわち参照符号５、３、および４で示されるＢＢＵによってカバーされる位置に移動する。ここで、ＵＥは２つの接続、すなわち第２のＢＢＵ３への１接続、および第３のＢＢＵ４への１接続を、同時的に有することを意図することが決定される。そのようにして、第３のＢＢＵ４は値「１」を有するスタックセレクタパラメータ、および値「０」を有するスタックリセットパラメータを送信することになる。これは、ＵＥに２つのプロトコルスタックのうち第２が第３のＢＢＵ４との通信のために使用されることになることを示す。
【００８３】
図３はユーザ機器が配置されているさらに別の無線アクセスネットワーク（ＲＡＮ）２０１を図示する概略図である。
【００８４】
ここで、ＵＥは第１のＢＢＵ５から第２のＢＢＵ３、次いで第３のＢＢＵ４に移動する。第１のＢＢＵ５のカバレッジエリア９は第２のＢＢＵ３のカバレッジエリア１１と部分的にオーバーラップし、第２のＢＢＵ３のカバレッジエリア１１は第３のＢＢＵ４のカバレッジエリア１０と部分的にオーバーラップしている。
【００８５】
次に、ＵＥは第１のＢＢＵ５によって値「０」を有するスタックセレクタパラメータおよび値「０」を有するスタックリセットパラメータを使用して、最初にサーブされる。次いで２つの接続が同時的に、つまり第１のＢＢＵ５と第２のＢＢＵ３の間で、確立され、第２のＢＢＵは値「１」を有するスタックセレクタパラメータおよび値「０」を有するスタックリセットパラメータを使用する。最終的に第３のＢＢＵ４は値「０」を有するスタックセレクタパラメータおよび値「１」を有するスタックリセットパラメータを使用して、第１のプロトコルスタックがリセットされ得ること、および第１のプロトコルスタックが第３のＢＢＵ４との接続に使用されることになることを、ＵＥに示す。
【００８６】
図４は本開示の態様を図示するシグナリング図３０１である。
【００８７】
参照符号３０３は、第１のＢＢＵ５からＵＥ３０２への、すべての種類のダウンリンクトラフィックを示している。少なくともダウンリンクグラントメッセージはスタックセレクタパラメータならびにスタックリセットパラメータを含む。
【００８８】
時間的にあるポイントにおいて、ＵＥ３０２を第１のＢＢＵ５から第２のＢＢＵ３にハンドオーバすることが決定される。これは参照符号３０４で示されている。この特定の状況において、ＵＥ３０２と第１のＢＢＵ５との間、ならびにＵＥ３０２と第２のＢＢＵ３との間の、二重の同時的な接続はない。
【００８９】
したがって、第２のＢＢＵ３からＵＥ３０２へ送信されるトラフィックにおいて、ＵＥにそのプロトコルスタックをリセットさせる、値「１」を有するスタックリセットパラメータが与えられる。
【００９０】
上に続いて、電気通信ネットワークの無線アクセスネットワーク（ＲＡＮ）においてユーザ機器（ＵＥ）をハンドオーバすることが提供され、前記ＲＡＮが複数のベースバンドユニット（ＢＢＵ）を備え、前記ＵＥがＢＢＵとの接続のために使用され得る少なくとも１つのマルチレイヤードプロトコルスタックを備え、前記ＵＥは前記プロトコルスタックを使用して第１のＢＢＵ５に接続され、前記方法は
−  第２のＢＢＵによって、前記電気通信ネットワーク内のネットワークノードから、前記ＵＥ３０２が前記第２のＢＢＵ３にハンドオーバされることになることの指示を受信するステップであって、前記第２のＢＢＵ３が前記ＵＥ３０２に前記プロトコルスタックが前記第２のＢＢＵ３との通信についてリセットされることになることを示すためのスタックリセットパラメータを使用することになる受信するステップと、
−  前記第２のＢＢＵによって、前記ＵＥ３０２にダウンリンクグラントメッセージを送信するステップであって、前記ダウンリンクグラントメッセージが前記スタックリセットパラメータを含む、送信するステップと
を含む。
【００９１】
スタックリセットパラメータは典型的には１ビットであり、その値は後続のダウンリンクグラントメッセージまたはアップリンクグラントメッセージ内で、同じものをたいてい保持される。スタックリセットパラメータがその値をトグルする場合はいつでも、つまり「０」から「１」へ、または「１」から「０」に変わる場合はいつでも、対応するプロトコルスタックのＲＬＣスタックはリセットされる。
【００９２】
単一のＢＢＵが使用される時、ＳＲＩ値は変わることなく保持され得、例えば、値「０」を有するスタックリセットパラメータである。
【００９３】
デバイスのサービングが１つのＢＢＵから別のＢＢＵに移動する場合、スタックリセットパラメータは強制的にＵＥにその対応するプロトコルスタックのＲＬＣスタックをリセットさせるためにトグルすることがある。例えば、ＵＥは最初、第１のＢＢＵ５によって値「０」を有するスタックリセットパラメータを使用してサーブされる。ある時間において、デバイスは、別個のＲＬＣスタックを有し第１のＢＢＵ５と協調していない第２のＢＢＵ３にハンドオーバされる。したがって、ＲＬＣはリセットされることになる。第１のＢＢＵ５はＵＥのサービングを停止し、第２のＢＢＵ３がＵＥのサービングを開始し、今度は値「１」を有するスタックリセットパラメータを使用する。ＵＥが値「１」を有するスタックリセットパラメータを伴うグラントを受信すると、それに応じてそのＲＬＣスタックをリセットする。
【００９４】
スタックセレクタパラメータとスタックリセットパラメータとの組み合わせは、いくつかのＢＢＵが関与する時に使用され得る。その時、それぞれのスタックセレクタパラメータはそれ自身のスタックリセットパラメータに関連付けられ、スタックリセットパラメータのトグリングは、値「０」を有するスタックセレクタパラメータを伴うグラントメッセージについて、および値「１」を有するセレクタパラメータを伴うグラントメッセージについて、別個に検出される。
【００９５】
一例において、ＵＥは最初に第１のＢＢＵおよび第２のＢＢＵによってサーブされる。第１のＢＢＵは値「０」を有するスタックセレクタパラメータ、すなわちＳＳ＝０、および値「０」を有するスタックリセットパラメータ、すなわちＳＲＩ＝０を使用する一方、第２のＢＢＵはＳＳ＝１、およびＳＲＩ＝０を使用する。ある時間において、ＵＥは第２のＢＢＵから第３のＢＢＵにハンドオーバされ、その間、第１のＢＢＵはＵＥをサーブし続ける。第３のＢＢＵはＳＳ＝１およびＳＲＩ＝１を使用し、その間、第１のＢＢＵはＳＳ＝０およびＳＲＩ＝０を使用し続ける。結果として、ＳＳ＝１に関連付けられるＲＬＣスタックはリセットされることになり、一方でＳＳ＝０に関連付けられるＲＬＣスタックは影響を受けることはない。
【００９６】
図５は本開示のさらに別の態様を図示するシグナリング図６０１である。
【００９７】
ここで、最初、ＵＥ６０２は第１のＢＢＵ５だけと接続される。第１のＢＢＵ５からＵＥ６０２に送信されるダウンリンクグラントメッセージはスタックセレクタパラメータを含み、スタックセレクタパラメータは、第１のプロトコルスタックが第１のＢＢＵ５との通信に使用されることになることをＵＥ６０２に示す値「０」を有する。
【００９８】
時間的にあるポイントにおいて、デュアルコネクティビティ６０５が開始される、つまりＵＥ６０２が同時に、第１のＢＢＵ５ならびに第２のＢＢＵ３との接続を有することを意図する。
【００９９】
この特定の状況において、第２のＢＢＵ３は、第１のＢＢＵ５によって使用される値と比較して異なる値を有するスタックセレクタパラメータを含むダウンリンクグラントメッセージを送信する。第２のＢＢＵ３は、例えば、値「１」を有するスタックセレクタパラメータを使用する。
【０１００】
上で言及したように、あらゆるＢＢＵはスタックセレクタパラメータすなわちＳＳ、および／またはスタックリセットパラメータすなわちＳＲＩを使用することができる。
【０１０１】
ＳＲＩの代替として、ＲＬＣリセットを示すために別個の制御メッセージが導入される。一例において、ＲＬＣリセット制御メッセージは、ＳＳなしで使用される。この場合、ＲＬＣリセットメッセージはＵＥに送信され、その際１つのＢＢＵから別のＢＢＵにハンドオーバされる。ＲＬＣリセットメッセージが送信される期間の間、ＲＬＣは信頼して使用されることができないが、それはＲＬＣが既にリセットされたかどうかが知られていないためである。例えばＲＬＣリセット確認メッセージを介して確認がネットワークにおいて受信されて初めてＲＬＣスタックを再び使用することができる。
【０１０２】
別の例において、ＲＬＣリセット制御メッセージは、ＳＳと共に使用される。この例において、それぞれのＲＬＣリセット制御メッセージはどのＳＳがリセットされるべきかを示す。最初ＵＥは、ＢＢＵ１によってＳＳ＝０およびその関連付けされるＲＬＣスタックを使用してサーブされる。この時、ＳＳ＝１に関連付けられるＲＬＣスタックは、リセットされているかのような同一の状態で、使用されない。ある時間において、ＵＥは第１のＢＢＵから第２のＢＢＵにハンドオーバされ、第２のＢＢＵはＳＳ＝１を使用してグラントメッセージの送信を開始する。結果として、ＳＳ＝１に関連付けられるＲＬＣスタックが使用される。次に、ＳＳ＝０に関連付けられるＲＬＣスタックがリセットされるべきであることを示すＲＬＣ制御メッセージがＵＥに送信される。この時点で、デバイスはいつでも別のＢＢＵ、例えば第３のＢＢＵに、ＳＳ＝０に関連付けられるＲＬＣスタックを使用してハンドオーバされる準備ができている。
【０１０３】
図６は本開示の態様を図示するシグナリング図７０１である。
【０１０４】
ここで、最初ＵＥ７０１は第１のＢＢＵ５ならびに第２のＢＢＵ３とのデュアルコネクティビティ接続を有する。つまり、ＵＥ７０２に送信されたグラントメッセージにおいて、第１のＢＢＵはＳＳ＝０を使用し、第２のＢＢＵはＳＳ＝１を使用する。
【０１０５】
しばらくして、ＵＥ７０２を第２のＢＢＵ３から第３のＢＢＵ４にハンドオーバすることが決定される。これは参照符号７０４で示されている。それを達成するために、第３のＢＢＵ４はダウンリンクグラントメッセージをＵＥ７０２に送信し、ここにおいてダウンリンクグラントメッセージはスタックセレクタパラメータすなわちＳＳ＝１、ならびにスタックリセットパラメータすなわちＳＲＩ＝１を含む。これは、値「１」を有するスタックセレクタパラメータに対応するスタックがリセットされることになることをＵＥに示す。
【０１０６】
ＢＢＵがＵＥ７０２をサーブし始めると、ＢＢＵはどのＳＳおよびＳＲＩを使用するかを知る必要があり得る。最初ＵＥが第１のＢＢＵ５によってサーブされ、次いで第２のＢＢＵ３によってサーブされようとしている場合、第１のＢＢＵ５は、第１のＢＢＵによって使用するためのＳＳおよびＳＲＩについての適切な値に関する情報を送信することができる。ＵＥが第１のＢＢＵおよび第２のＢＢＵの両方によって同時的にサーブされることになる場合、第１のＢＢＵは、第１のＢＢＵが使用するＳＳとは異なるＳＳを使用することを、第２のＢＢＵに示すことができ、それによりＵＥに、第１のＢＢＵおよび第２のＢＢＵと通信している異なるＲＬＣ／ＭＡＣスタックを使用させる。
【０１０７】
その一方で、ＵＥが第１のＢＢＵおよび第２のＢＢＵへの同時的な接続なしに直接ハンドオーバされるようになる場合、第１のＢＢＵは、第１のＢＢＵが使用している同一のＳＳを使用するが、第１のＢＢＵと比較して反対のＳＲＩの値を使用することを第２のＢＢＵに示すことができ、それによりＵＥに同一のＲＬＣ／ＭＡＣスタックを使用させているが、それがリセットされるようにしている。
【０１０８】
最初ＵＥが第１のＢＢＵおよび第２のＢＢＵの両方によってサーブされ、次に第１のＢＢＵおよび第３のＢＢＵによってサーブされるようになる場合、第１のＢＢＵもしくは第２のＢＢＵのいずれか、またはさらには両方が、ＳＳおよびＳＲＩについてどの値を使用するかを第３のＢＢＵに示すことができる。
【０１０９】
代替的なものとしては、中央ネットワークノードからのＳＳおよびＳＲＩの使用を協調することである。中央ネットワークノードは、ＵＥをサービングするそれぞれのＢＢＵによってどのＳＳおよびＳＲＩが使用されるかの追跡をし続けるであろう。新しいＢＢＵがＵＥをサービングすることになる時、中央ノードは新しいＢＢＵにＳＳおよびＳＲＩについてどの値を使用するかを知らせる。
【０１１０】
図７は第２のベースバンドユニット（ＢＢＵ）８０１の実施形態を図示する概略図である。
【０１１１】
第２のベースバンドユニット（ＢＢＵ）８０１は、電気通信ネットワークにおいてユーザ機器（ＵＥ）を無線アクセスネットワーク（ＲＡＮ）に接続することをサポートするために使用され、前記ＲＡＮが複数のベースバンドユニット（ＢＢＵ）を備え、前記ＵＥがＢＢＵとの通信のために使用され得る２つのマルチレイヤードプロトコルスタックを備え、前記ＵＥは前記第１のＢＢＵとの通信のための前記２つのプロトコルスタックの第１を使用して第１のＢＢＵに接続される。
【０１１２】
ハウジング８０５を有する第２のＢＢＵは、
−  前記電気通信ネットワークにおけるネットワークノードから、スタックセレクタパラメータを受信するように動作可能である受信機器８０４であって、前記スタックセレクタパラメータが前記第２のＢＢＵとの前記通信のために前記２つのプロトコルスタックのどちらが前記ＵＥによって使用されることになるかを示す、受信機器８０４と、
−  前記ＵＥにダウンリンクグラントメッセージを送信するように動作可能である送信機器８０６であって、前記ダウンリンクグラントメッセージが前記スタックセレクタパラメータを含む、送信機器８０６と
を含む。
【０１１３】
ここで、入来するデータパケットまたはメッセージは、それらが受信機器８０４または受信モジュールに到達する前に、入力端子８０３を通過する。出ていくデータパケットまたはメッセージは、出力端子８０７を介して、送信機器８０６または送信モジュールによって、通過または送信される。
【０１１４】
第２のＢＢＵ８０１は、制御ユニット８０８およびメモリ８０９をさらに備え、制御ユニット８０８はバス接続などを介して受信機器８０４、送信機器８０６および処理機器８０２に接続される。
【０１１５】
図８はユーザ機器（ＵＥ）の実施形態を図示する概略図である。
【０１１６】
電気通信ネットワークにおいてデュアルコネクティビティ対応ユーザ機器（ＵＥ）１００１を無線アクセスネットワーク（ＲＡＮ）に接続することをサポートするためのデュアルコネクティビティ対応ユーザ機器（ＵＥ）１００１、前記ＵＥ１００１がＢＢＵとの通信のために使用され得る２つのマルチレイヤードプロトコルスタックを備え、前記ＵＥ１００１が第１のＢＢＵとの通信のための前記２つのプロトコルスタック１０１０、１０１１の第１を使用して前記第１のＢＢＵに接続される。
【０１１７】
ＵＥ１００１は、
−  前記ＲＡＮにおいてスタックセレクタパラメータを第２のＢＢＵから受信するように動作可能である受信機器１００４であって、前記スタックセレクタパラメータが前記第２のＢＢＵとの前記通信のために前記２つのプロトコルスタック１０１０、１０１１のどちらが前記ＵＥ１００１によって使用されることになるかを示す、受信機器１００４と、
−  前記受信したダウンリンクグラントメッセージを、前記スタック受信されたセレクタパラメータに対応するマルチレイヤードプロトコルスタックのＲＬＣエンティティに伝達するように動作可能である伝達機器１００２と
を備える。
【０１１８】
ここで、入来するデータパケットまたはメッセージは、それらが受信機器１００４または受信モジュールに到達する前に、入力端子１００３を通過する。出ていくデータパケットまたはメッセージは送信機器１００６または送信モジュールによって、出力端子１００７を介して、通過または送信される。
【０１１９】
ＵＥ１００１は、制御ユニット１００８およびメモリ１００９をさらに備え、制御ユニット１００８はバス接続などを介して受信機器１００４、送信機器１００６および伝達機器１００２に接続される。
【０１２０】
本開示の利点の１つは、協調のよりフレキシブルな選択を考慮しているということである。特に、他の協調機能からプロトコルスタックの取り扱いを切り離す。結果として、ＢＢＵをまたぐマルチポイント送信は、物理レイヤにインパクトを与えることなく実施することができる。例えば、プロトコルスタックリセットを示すためにビットのトグリングを使用することによって、リセットは信頼でき、さらにリセットのための別個のメッセージを使用するよりも速い。
【０１２１】
したがって、異なるネットワークノード、すなわちＢＢＵから、少ないオーバヘッドで、低いレイテンシで、および高い信頼性をもってＵＥをサービングすることを可能にする、スタック選択およびスタックリセットについて効率的なシグナリング方法が提供される。他の機能からスタック管理を切り離すことによって、ネットワークプロトコル処理をフレキシブルに展開されることが可能になる。
【０１２２】
開示される実施形態に対する他の変形例は、図面、開示、および添付の特許請求の範囲の検討より、特許請求される発明を実用化することにおいて当業者によって理解され得、行われ得る。特許請求の範囲において、語句「を含む」は他の要素またはステップを排除するものではなく、不定冠詞「ａ」または「ａｎ」は複数を排除するものではない。単一のプロセッサまたは他のユニットは特許請求の範囲に列挙されるいくつかの項目の機能を満たすことができる。特定の策が相互に異なる従属請求項に列挙されるという単なる事実は、これらの策の組み合わせが利益を得るために使用され得ないことを示していない。コンピュータプログラムが、他のハードウェアと共にまたは他のハードウェアの一部として供給される光学記憶媒体またはソリッドステート媒体などの適切な媒体に記憶／分散され得るが、インターネットまたは他の有線もしくは無線の電気通信システムを介してなど、他の形態に分散されてもよい。特許請求の範囲におけるあらゆる参照符号はその範囲を限定するものとして解釈されるべきではない。
【０１２３】
本開示は上で開示した実施形態に限定されず、発明的な能力を適用する必要なく添付の特許請求の範囲において開示されるような本開示の範囲を超えて当業者によって修正および拡張することができる。
【図１】
0006864106.tif 000002
【図２】
0006864106.tif 000003
【図３】
0006864106.tif 000004
【図４】
0006864106.tif 000005
【図５】
0006864106.tif 000006
【図６】
0006864106.tif 000007
【図７】
0006864106.tif 000008
【図８】
0006864106.tif 000009